(57)【要約】【課題】携帯通信端末のメモリに保存されている画像データを、利用者の特別な操作なしに事前に設定してあるメールアドレスに自動送信して、内蔵メモリの残容量を気にしないで写真撮影を可能にする。【解決手段】カメラ機能を用いて撮影された画像データが該携帯端末内のメモリに保存されているとき該携帯通信端末が移動通信ネットワークに位置登録されているか否かを判定し、該携帯通信端末が移動通信ネットワークに位置登録されているときに、前記メモリから前記画像データを読み出し、予め設定された電子メールの宛先に対して前記読み出した画像データを送信するとともに、送信された前記画像データを前記メモリから消去する。【選択図】図３
2010050646.tif 000002
【特許請求の範囲】
【請求項１】
カメラ機能、および通信機能を備えた携帯通信端末における撮影画像データ自動送信方法であって、
前記カメラ機能を用いて撮影された画像データが該携帯端末内のメモリに保存されているとき該携帯通信端末が移動通信ネットワークに位置登録されているか否かを判定し、該携帯通信端末が移動通信ネットワークに位置登録されているときに、前記メモリから前記画像データを読み出し、予め設定された宛先に対して前記読み出した画像データを送信するとともに、送信された前記画像データを前記メモリから消去することを特徴とする撮影画像データ自動送信方法。
【請求項２】
前記通信機能は、電子メール送受信機能であることを特徴とする請求項１に記載の撮影画像データ自動送信方法。
【請求項３】
前記撮影画像データ自動送信は、該形態通信端末の他の機能と平行して実行可能であることを特徴とする請求項１または２に記載の撮影画像データ自動送信方法。
【請求項４】
カメラ機能、および通信機能を備えた携帯通信端末であって、
前記カメラ機能を用いて撮影された画像データを保存するメモリと、該メモリに前記画像データが保存されているとき該携帯通信端末が移動通信ネットワークに位置登録されているか否かを判定し、該携帯通信端末が移動通信ネットワークに位置登録されているときに、前記メモリから前記画像データを読み出し、予め設定された宛先に対して前記読み出した画像データを送信する画像データ送信手段と、送信された前記画像データを前記メモリから消去する画像データ消去手段を備えていることを特徴とする携帯通信端末。
【請求項５】
前記通信機能は、電子メール送受信機能であることを特徴とする請求項４に記載の携帯通信端末。
【請求項６】
前記携帯通信端末は、カメラ機能付携帯電話機であることを特徴とする請求項４または５に記載の携帯通信端末。
【請求項７】
カメラ付き携帯通信端末に内蔵されたコンピュータを、カメラ機能を用いて撮影された画像データが当該端末内のメモリに保存されているとき該携帯通信端末が移動通信ネットワークに位置登録されているか否かを判定し、該携帯通信端末が移動通信ネットワークに位置登録されているときに、前記メモリから前記画像データを読み出し、予め設定された宛先に対して前記読み出した画像データを送信する画像データ送信手段、および送信された前記画像データを前記メモリから消去する画像データ消去手段として機能させるためのプログラム。
【発明の詳細な説明】
【技術分野】
【０００１】
本発明は、カメラ機能、および電子メール送受信機能を備えた携帯通信端末に関し、特に、この携帯通信端末のカメラ機能を用いて撮影された写真データを予め指定した宛先へ自動的に送信する技術に関する。
【背景技術】
【０００２】
現在、多くの携帯電話機は内蔵カメラを装備しており、該カメラにより撮影された写真データは、この携帯電話機に内蔵されたメモリの写真データ格納領域に保存される。そして、撮影した写真をＰＣ（Personal Computer）上で印刷や加工したい場合は、撮影とは別の操作としてＰＣへの転送操作をする必要があった。
【０００３】
ＰＣへの転送の方法としては、携帯電話機のメール送信機能を用いてメール本文の添付ファイルとして送信したのちＰＣのメールソフトで受信するか、またはＳＤカードなどの外部記憶装置を介在させてＰＣに読み込ませる方法がある。これらの方法はいずれも、利用者が意識的に手動で行う必要があり手間が掛かるという課題があった。
【０００４】
また、携帯電話機に内蔵されたメモリの写真データ格納領域に保存できる写真データの量には上限があり、写真データ格納領域が一杯になったときには、以前に撮影して格納されている写真データを消去しなければ新たな写真データをメモリに格納することができない。さらに、携帯電話機を紛失、あるいは写真撮影後に周囲の状況により携帯電話の操作ができない状態に陥った場合等には、せっかく撮影した写真データが失われてしまうという問題もある。
【０００５】
このような問題を解決可能にする手段として、例えば特許文献１では、カメラを備えた携帯電話機によって撮影した画像データ（静止画および動画）を保存する際、携帯電話機内のメモリには保存せずに、所定の圧縮処理を施した上、予め指定された宛先へ電子メールに添付して自動送信することにより、電子メールの作成、送信といった操作を使用者に意識させることなく、あたかも携帯電話機内のメモリに保存しているのと同じ感覚で撮影画像を電子メールに添付して送信し、予め指定された宛先のＰＣが備えている大容量のメモリに保存する技術が提案されている。
【０００６】
【特許文献１】特開２００８−０９２３３７号公報
【発明の開示】
【発明が解決しようとする課題】
【０００７】
特許文献１に記載の発明によれば、利用者がカメラ付き携帯電話機を用いて撮影を行い、撮影画像の保存指示を行うと、利用者による特別な追加操作なしに、この撮影画像データが予め設定された電子メールの宛先へ自動的にメールの添付ファイルとして送信されるので、利用者は、撮影とは別の操作としてＰＣへの転送操作をするための手間をかける必要がなく、また、写真データを保存するための携帯電話機に内蔵されたメモリの空き容量を気にすることなく、撮影を続けることができる。
【０００８】
しかし、特許文献１に記載の発明では、利用者が前記カメラ付き携帯電話機を用いて撮影を行い、撮影画像の保存指示を行ったとき、この携帯電話機が移動通信圏外に位置している等により、移動通信ネットワークに位置登録されていない場合には、撮影画像データを電子メールの宛先へ自動送信することができないため、その場合には、撮影画像データを携帯電話機のローカルメモリに保存する操作が行われ、撮影した画像を失うことがないようにしている。
【０００９】
そのため特許文献１に記載の発明の場合、メール送信に失敗した画像データは、携帯電話機のローカルメモリに保存されたままとなり、このローカルメモリに保存された画像データを、予め設定された電子メールの宛先へメールの添付ファイルとして送信するためには、利用者自ら、メール送信機能を用いてメール本文の添付ファイルとして送信する処理を行わなければならず、この場合には、撮影とは別の操作としてＰＣへの転送操作をするための手間がかかるという問題がある。
【００１０】
本発明の目的は、上述した課題を解決することが可能な、カメラ機能付き携帯通信端末で撮影された写真データを予め指定した宛先へ自動的に送信する技術を提供することにある。
【課題を解決するための手段】
【００１１】
本発明の撮影画像データ自動送信方法は、カメラ機能、および通信機能を備えた携帯通信端末における撮影画像データ自動送信方法であって、前記カメラ機能を用いて撮影された画像データが該携帯端末内のメモリに保存されているとき該携帯通信端末が移動通信ネットワークに位置登録されているか否かを判定し、該携帯通信端末が移動通信ネットワークに位置登録されているときに、前記メモリから前記画像データを読み出し、予め設定された宛先に対して前記読み出した画像データを送信するとともに、送信された前記画像データを前記メモリから消去することを特徴とする。
【００１２】
本発明のカメラ付き携帯通信端末は、カメラ機能、および電子メール送受信機能を備えた携帯通信端末であって、前記カメラ機能を用いて撮影された画像データを保存するメモリと、該メモリに前記画像データが保存されており且つ該携帯通信端末が移動通信ネットワークに位置登録されているときに、前記メモリから前記画像データを読み出し、予め設定された電子メールの宛先に対して前記読み出した画像データを送信する画像データ送信手段と、送信された前記画像データを前記メモリから消去する画像データ消去手段を備えていることを特徴とする。
【００１３】
本発明のプログラムは、カメラ付き携帯通信端末に内蔵されたコンピュータを、カメラ機能を用いて撮影された画像データが当該端末内のメモリに保存されているとき該携帯通信端末が移動通信ネットワークに位置登録されているか否かを判定し、該携帯通信端末が移動通信ネットワークに位置登録されているときに、前記メモリから前記画像データを読み出し、予め設定された電子メールの宛先に対して前記読み出した画像データを送信する画像データ送信手段、および送信された前記画像データを前記メモリから消去する画像データ消去手段として機能させることを特徴とする。
【発明の効果】
【００１４】
本発明によれば、カメラ機能付携帯通信端末の内蔵メモリに該カメラで撮影された画像データが保存されているときには、メール送信部が利用者の明示的な操作を介在せずに自動的に起動して該携帯通信端末が移動通信ネットワークに位置登録されているか否かを判定し、移動通信ネットワークに位置登録されているときに、前記メモリから前記画像データを読み出して、予め設定された電子メールの宛先に対して前記読み出した画像データを送信するので、他の機能と並列に実行することが可能であるとともに、利用者は、前記メモリに保存されている画像データを、利用者が特別な操作あるいは意識をしなくても、事前に設定してあるメールアドレスに自動送信することが可能となる。
【００１５】
また、送信された前記画像データは前記メモリから消去されるので、携帯電話の内蔵メモリの残容量を心配せずに写真を撮影することができる。
【００１６】
さらに、利用者が、万一この携帯通信端末を紛失した場合、あるいは、写真撮影後に周囲の状況により携帯通信端末の操作ができない状態に陥った場合でも、メモリに格納された画像データを、安全に外部に保存しておくことができる。
【発明を実施するための最良の形態】
【００１７】
図１は、本発明の実施形態を示す携帯電話機の要部ブロック図である。図１では、本発明と関連する機能ブロックのみを示しており、通常の携帯電話機が有しているその他の機能ブロックについては図示を省略している。
【００１８】
本実施形態の携帯電話機１には、カメラ１１、メモリ１２、メール送信部１３、キーパッド１４が装備されている。カメラ１１は、利用者がキーパッド１４よって写真撮影のための操作を行ったとき、その操作に従って写真を撮影して画像データに変換する。この画像データは、所定の圧縮処理等が施された後、メモリ１２の写真格納領域１２１に写真データ１２１１として記憶（保存）される。
【００１９】
またメモリ１２には、写真格納領域１２１に記憶されている写真データ１２１１を添付ファイルとしてメール送信するために、利用者により予め設定された送信先のメールアドレス１２２が記憶されている。写真格納領域１２１に写真データ１２１１が記憶されていることを確認すると、この写真データ１２１１をメールアドレス１２２宛に送信するための動作が起動される。
【００２０】
なお、メモリ１２には、本実施形態の動作を含む携帯電話機１の各種動作を実行するために必要となるプログラムおよび情報も記憶されており、本実施形態の携帯電話機１は、メモリ１２および、該メモリ１２に格納されたプログラムを読み出して上記各種動作を実行する不図示のＣＰＵ（Central Processing Unit）とからなるコンピュータによるプログラム制御によって実現することができる。
【００２１】
メール送信部１３は、本文単独、あるいは本文と添付ファイルからなる電子メールを指定されたメールアドレスに向かって送信する機能を有する。本実施形態における写真データ１２１１のメール送信が起動されたときには、送信先として予め設定されて記憶されているメールアドレス１２２を読み出し、このメールアドレス１２２を電子メールの宛先にし、添付ファイルとして写真データ１２１１を付加して送信する。
【００２２】
図２は、本実施形態における送信先メールアドレスを設定する処理手順を示すフローチャート、図３は、本実施形態における写真メール自動送信処理手順を示すフローチャート、図４は、本実施形態における送信先メールアドレスの消去処理手順を示すフローチャートである。以下、図１〜図４を参照して、本実施形態の動作について説明する。
【００２３】
まず、利用者は写真を自動送信する宛先のメールアドレスを設定する必要がある。すなわち、図２のメールアドレス設定処理において、ステップ（２１）でキーパッド１４からメールアドレスがキー入力されると、それがメールアドレス１２２として、ステップ（２２）でメモリ１２に書き込まれる。ステップ（２３）で、図３の写真メール自動送信処理の実行を別プロセスで起動する。
【００２４】
これにより、図３の写真メール自動送信処理の実行が開始されるが、この「写真メール自動送信処理」は、他の機能と並行して同時に実行される状態となる。
【００２５】
利用者が本実施形態の携帯電話機１を用いて写真撮影操作を行うと、カメラ１１はその操作に従って写真を撮影して画像データに変換する。変換された画像データは、所定の圧縮処理等が施された後、メモリ１２の写真格納領域１２１に写真データ１２１１として記憶（保存）される。
【００２６】
本実施形態の「写真メール自動送信処理」においては、メモリ１２の写真格納領域１２１に写真データ１２１１が無い（保存されていない）状態ではステップ（３１）が繰り返される。利用者の撮影によってメモリ１２の写真格納領域１２１に写真データ１２１１が格納されると、処理がステップ（３２）に移行し、携帯電話機１が移動通信ネットワークに位置登録されていなければ、携帯電話機１が移動通信ネットワークに位置登録されるまでステップ（３２）を繰り返す。
【００２７】
携帯電話機１が移動通信ネットワークに位置登録されていれば、ステップ（３３）でメモリ１２の写真格納領域１２１から写真データ１２１１を取り出し、同じくステップ（３４）でメモリ１２からメールアドレス１２２を取り出す。
【００２８】
次に、送信用のメールを生成するために、ステップ（３５）で、宛先に上記ステップ（３４）で取り出したメールアドレス１２２を設定し、ステップ（３６）で、メールに上記ステップ（３３）で取り出した写真データ１２１１を添付する。こうして生成したメールを、ステップ（３７）でメール送信部１３から送信する。最後にステップ（３８）でメール送信した写真データ１２１１を削除し、ステップ（３１）に戻る。
【００２９】
本実施形態によれば、写真撮影後に、メモリ１２の写真格納領域１２１に写真データ１２１１が記憶（保存）されると、メール送信部が利用者の明示的な操作を介在せずに自動的に起動する。また、メール送信中には画面に一切の表示をせずに動作し、かつ、他の機能と並列に実行することが可能である。
【００３０】
このことにより、利用者は写真撮影後、メール送信動作について特別な意識をする必要がなく、次の操作に移ることができる。
【００３１】
なお、利用者が写真撮影後のメールの自動送信機能を停止したい場合は、図４のメールアドレス消去処理を実行する事により、ステップ（４１）でメモリ１２に書き込んだメールアドレス１２２を消去すると、ステップ（４２）で図３の「写真メール自動送信処理」プロセスが停止する。
【００３２】
なお上記実施形態では、写真データをＰＣへ送信するのにメールを用いているが、メール以外のプロトコル、すなわちＨＴＴＰ(Hypertext Transfer Protocol)やＦＴＰ（File Transfer Protocol）を用いてＰＣへ送信することもできる。
【図面の簡単な説明】
【００３３】
【図１】本発明の実施形態を示す携帯電話機の要部ブロック図である。
【図２】本実施形態における送信先メールアドレスを設定する処理手順を示すフローチャートである。
【図３】本実施形態における写真メール自動送信処理手順を示すフローチャートである。
【図４】本実施形態における送信先メールアドレスの消去処理手順を示すフローチャートである。
【符号の説明】
【００３４】
１  携帯電話機
１１  カメラ
１２  メモリ
１３  メール送信部
１４  キーパッド
１２１  写真格納領域
１２２  メールアドレス
１２１１  写真データ
【図１】
2010050646.tif 000003
【図２】
2010050646.tif 000004
【図３】
2010050646.tif 000005
【図４】
2010050646.tif 000006